【手続補正書】
【提出日】平成17年6月27日(2005.6.27)
【手続補正１】
【補正対象書類名】明細書
【補正対象項目名】特許請求の範囲
【補正方法】変更
【補正の内容】
【特許請求の範囲】
【請求項１】
分子内に炭素原子１個を含むハイドロフルオロカーボン類、分子内に炭素原子１個を含むハイドロクロロフルオロカーボン類および分子内に炭素原子１個を含むハイドロクロロカーボン類からなる群から選ばれる少なくとも１種の化合物を含有する粗ペンタフルオロエタンと、平均細孔径が３Å〜６Åであり、かつシリカ／アルミニウム比が２．０以下であるゼオライトおよび／または平均細孔径が３．５Å〜６Åである炭素質吸着剤とからなる吸着剤を接触させ、粗ペンタフルオロエタン中に不純物として含まれる前記化合物の含有量を低減させることを特徴とするペンタフルオロエタンの精製方法。
【請求項２】
前記分子内に炭素原子１個を含むハイドロフルオロカーボン類が、フルオロメタン、ジフルオロメタンおよびトリフルオロメタンからなる群から選ばれる少なくとも１種の化合物である請求項１に記載のペンタフルオロエタンの精製方法。
【請求項３】
前記分子内に炭素原子１個を含むハイドロクロロフルオロカーボン類が、クロロジフルオロメタンである請求項１に記載のペンタフルオロエタンの精製方法。
【請求項４】
前記分子内に炭素原子１個を含むハイドロクロロカーボン類が、クロロメタン、ジクロロメタンおよびトリクロロメタンからなる群から選ばれる少なくとも１種の化合物である請求項１に記載のペンタフルオロエタンの精製方法。
【請求項５】
粗ペンタフルオロエタン中に不純物として含まれる前記化合物の総含有量が１ｖｏｌ％以下である請求項１〜４のいずれかに記載のペンタフルオロエタンの精製方法。
【請求項６】
粗ペンタフルオロエタンと前記吸着剤とを接触させる圧力が１ＭＰａ以下である請求項１〜５のいずれかに記載のペンタフルオロエタンの精製方法。
【請求項７】
粗ペンタフルオロエタン中に不純物として含まれる前記化合物の総含有量が１５０ｖｏｌｐｐｍ以下に低減される請求項１〜６のいずれかに記載のペンタフルオロエタンの精製方法。
【請求項８】
粗ペンタフルオロエタン中に不純物として含まれる、分子内に炭素原子１個を含むハイドロフルオロカーボン類の総含有量が１００ｖｏｌｐｐｍ以下に低減される請求項１〜７のいずれかに記載のペンタフルオロエタンの精製方法。
【請求項９】
粗ペンタフルオロエタン中に不純物として含まれる、分子内に炭素原子１個を含むハイドロクロロカーボン類の総含有量が５０ｖｏｌｐｐｍ以下に低減される請求項１〜８のいずれかに記載のペンタフルオロエタンの精製方法。
【請求項１０】
粗ペンタフルオロエタンが以下の工程を含む方法により得られるものである請求項１〜９のいずれかに記載のペンタフルオロエタンの精製方法。
（１）テトラクロロエチレン、２，２−ジクロロ−１，１，１−トリフルオロエタンおよび２−クロロ−１，１，１，２−テトラフルオロエタンからなる群から選ばれる少なくとも１種とフッ化水素とを、フッ素化触媒の存在下に反応させてペンタフルオロエタンを得る工程
（２）工程（１）で得られたペンタフルオロエタンと水素とを接触させる工程、工程（１）で得られたペンタフルオロエタンと酸素および／または含酸素化合物とを接触させる工程、または工程（１）で得られたペンタフルオロエタンと水素とを接触させ、次いで酸素および／または含酸素化合物を接触させる工程
【請求項１１】
以下の工程を含むことを特徴とするペンタフルオロエタンの製造方法。
（１）テトラクロロエチレン、２，２−ジクロロ−１，１，１−トリフルオロエタンおよび２−クロロ−１，１，１，２−テトラフルオロエタンからなる群から選ばれる少なくとも１種とフッ化水素とを、フッ素化触媒の存在下に反応させてペンタフルオロエタンを得る工程
（２）工程（１）で得られたペンタフルオロエタンと水素とを接触させる工程、工程（１）で得られたペンタフルオロエタンと酸素および／または含酸素化合物とを接触させる工程、または工程（１）で得られたペンタフルオロエタンと水素とを接触させ、次いで酸素および／または含酸素化合物を接触させる工程
（３）工程（２）で得られたペンタフルオロエタンを請求項１〜９のいずれかに記載の方法を用いて精製する工程
【請求項１２】
請求項１〜１０のいずれかに記載の方法を用いて精製された、
分子内に炭素原子１個を含むハイドロフルオロカーボン類、分子内に炭素原子１個を含むハイドロクロロフルオロカーボン類および分子内に炭素原子１個を含むハイドロクロロカーボン類の総含有量が１５０ｖｏｌｐｐｍ以下であるペンタフルオロエタン。
【請求項１３】
請求項１２に記載のペンタフルオロエタンとフッ素ガスとを反応させることを特徴とするヘキサフルオロエタンの製造方法。
【請求項１４】
請求項１２に記載のペンタフルオロエタンを含むことを特徴とする冷媒。
【手続補正２】
【補正対象書類名】明細書
【補正対象項目名】００１１
【補正方法】変更
【補正の内容】
【００１１】
[１] 分子内に炭素原子１個を含むハイドロフルオロカーボン類、分子内に炭素原子１個を含むハイドロクロロフルオロカーボン類および分子内に炭素原子１個を含むハイドロクロロカーボン類からなる群から選ばれる少なくとも１種の化合物を含有する粗ペンタフルオロエタンと、平均細孔径が３Å〜６Åであり、かつシリカ／アルミニウム比が２．０以下であるゼオライトおよび／または平均細孔径が３．５Å〜６Åである炭素質吸着剤とからなる吸着剤を接触させ、粗ペンタフルオロエタン中に不純物として含まれる前記化合物の含有量を低減させることを特徴とするペンタフルオロエタンの精製方法。
[２]前記分子内に炭素原子１個を含むハイドロフルオロカーボン類が、フルオロメタン、ジフルオロメタンおよびトリフルオロメタンからなる群から選ばれる少なくとも１種の化合物である上記[１]に記載のペンタフルオロエタンの精製方法。
[３]前記分子内に炭素原子１個を含むハイドロクロロフルオロカーボン類が、クロロジフルオロメタンである上記[１]に記載のペンタフルオロエタンの精製方法。
[４]前記分子内に炭素原子１個を含むハイドロクロロカーボン類が、クロロメタン、ジクロロメタンおよびトリクロロメタンからなる群から選ばれる少なくとも１種の化合物である上記[１]に記載のペンタフルオロエタンの精製方法。
[５]粗ペンタフルオロエタン中に不純物として含まれる前記化合物の総含有量が１ｖｏｌ％以下である上記[１]〜[４]のいずれかに記載のペンタフルオロエタンの精製方法。
【手続補正３】
【補正対象書類名】明細書
【補正対象項目名】００１３
【補正方法】変更
【補正の内容】
【００１３】
[１１]以下の工程を含むことを特徴とするペンタフルオロエタンの製造方法。
（１）テトラクロロエチレン、２，２−ジクロロ−１，１，１−トリフルオロエタンおよび２−クロロ−１，１，１，２−テトラフルオロエタンからなる群から選ばれる少なくとも１種とフッ化水素とを、フッ素化触媒の存在下に反応させてペンタフルオロエタンを得る工程
（２）工程（１）で得られたペンタフルオロエタンと水素とを接触させる工程、工程（１）で得られたペンタフルオロエタンと酸素および／または含酸素化合物とを接触させる工程、または工程（１）で得られたペンタフルオロエタンと水素とを接触させ、次いで酸素および／または含酸素化合物を接触させる工程
（３）工程（２）で得られたペンタフルオロエタンを上記[１]〜[９]のいずれかに記載の方法を用いて精製する工程
[１２]請求項１〜１０のいずれかに記載の方法を用いて精製された、
分子内に炭素原子１個を含むハイドロフルオロカーボン類、分子内に炭素原子１個を含むハイドロクロロフルオロカーボン類および分子内に炭素原子１個を含むハイドロクロロカーボン類の総含有量が１５０ｖｏｌｐｐｍ以下であるペンタフルオロエタン。
[１３]上記[１２]に記載のペンタフルオロエタンとフッ素ガスとを反応させることを特徴とするヘキサフルオロエタンの製造方法。
[１４]上記[１２]に記載のペンタフルオロエタンを含むことを特徴とする冷媒。